【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
食器洗い機本体内部に設けられた洗浄槽と、前記洗浄槽の底部に有する貯水タンクと、前記食器洗い機本体外部から前記洗浄槽内に洗浄水を供給する給水弁と、前記洗浄槽の水位を検知する水位検知装置と、前記洗浄槽内の洗浄水を食器類に向け噴射する洗浄ノズルと、前記洗浄ノズルに洗浄水を供給する洗浄ポンプと、前記洗浄槽内の洗浄水を前記食器洗い機本体外に排水する排水ポンプと、前記食器類より洗い落とされた残さいを溜める残さいフィルターと、前記残さいフィルターを通過した洗浄水を前記洗浄ポンプに導く循環経路と、前記残さいフィルターを通過した洗浄水を排水ポンプに導く排水経路とを備え、前記残さいフィルターは、目の大きさの異なる複数のフィルターから構成され、前記循環経路に導かれる洗浄水が通過する前記フィルターと前記排水経路に導かれる洗浄水が通過する前記フィルターの目の大きさをそれぞれ異なるものとしたことを特徴とする食器洗い機。
【請求項２】
前記残さいフィルターの目の大きさは、前記循環経路よりも前記排水経路に導かれる洗浄水が通過する方を大きくしたことを特徴とする請求項１記載の食器洗い機。
【請求項３】
前記貯水タンクは、第１の貯水タンクと第２の貯水タンクとで構成し、前記第１の貯水タンクに循環口を形成して洗浄ポンプと連結し、前記第２の貯水タンクに排水口を形成して排水ポンプと連結し、前記第２の貯水タンクおよび前記排水口を前記第１の貯水タンクに設けられた循環口より下部に位置するように形成したことを特徴とする請求項１または２記載の食器洗い機。
【請求項４】
前記貯水タンク内に仕切り板を設けて前記第１の貯水タンクと前記第２の貯水タンクを形成し、前記仕切り板に前記第１の貯水タンクと前記第２の貯水タンクを連通する排水穴を穿設したことを特徴とする請求項３記載の食器洗い機。
【請求項５】
前記残さいフィルターに凹部を設け、前記凹部に残さいを排出させる残さい排出口を形成し、前記残さい排出口を前記排水経路と連通させたことを特徴とする請求項１乃至３いずれか記載の食器洗い機。
【請求項６】
前記貯水タンクを前記残さいフィルターの下部に設け、前記残さい排出口の位置は、前記循環経路の循環口寄りとしたことを特徴とする請求項５記載の食器洗い機。
【請求項７】
前記貯水タンク内に仕切り板を設けて前記第１の貯水タンクと前記第２の貯水タンクを形成し、前記仕切り板に前記第１の貯水タンクと前記第２の貯水タンクを連通する排水穴を穿設し、前記残さいフィルターに凹部を設け、前記凹部に残さいを排出させる残さい排出口を形成して前記残さい排出口を前記排水経路と連通させ、前記残さいフィルターの残さい排出口の大きさを、前記仕切り板の排水穴の大きさより大きくしたことを特徴とする請求項３記載の食器洗い機。
【請求項８】
前記残さいフィルターの中央部を凸形状とし、前記凸形状の周囲に形成される凹部に、前記排水経路と連通する残さい排出口を複数個設けたことを特徴とする請求項１乃至４いずれか記載の食器洗い機。
【請求項９】
前記洗浄ポンプと排水ポンプはモータを兼用し、前記洗浄ポンプと排水ポンプはそれぞれ異なるポンプ室内に形成することを特徴とする請求項１乃至８いずれか記載の食器洗い機。
【請求項１０】
前記モータは、洗浄時に正転、排水時に逆転するものであって、前記排水時のモータ逆転時に前記洗浄ノズルより洗浄水が噴射されるようにしたことを特徴とする請求項９記載の食器洗い機。
【手続補正２】
【補正対象書類名】明細書
【補正対象項目名】０００２
【補正方法】変更
【補正の内容】
【０００２】
【従来の技術】
図２１は、従来の食器洗い機を示す断面図である。図において、４１は洗浄槽、４２は洗浄水４３を洗浄槽４１内に供給する給水弁で、洗浄槽４１の底部に貯水タンク４４に洗浄水４３を溜める。その供給される水量は水位検知装置４５により適したものとしている。４６は洗浄水４３が加圧される洗浄ポンプ、４７は洗浄槽４１の底部の略中央に回転自在に支持される洗浄ノズルで、食器類４８に向けて洗浄ポンプ４６から送られる洗浄水４３を噴出する。４９は洗浄ノズル４７に備えられた噴射口で、洗浄ポンプ４６により加圧されて洗浄ノズル４７から供給される洗浄水４３を、噴射口４９から洗浄槽１内に噴射する。５０は食器類４８などを洗浄槽４１内に収納する食器かご、５１は洗浄槽４１の底部に配設して洗浄水４３を加熱するヒータ、５２は洗浄槽４１内の洗浄水４３を機外に排出する排出ポンプ、５３は貯水タンク４４の上部に着脱自在に設けた残さいフィルター、５５は残さい、５６は循環口、５７は排水口である。５８はホース５８ａにより洗浄槽４１と連通するフロート室、５９はフロート、６０は検知機器である。


【手続補正３】
【補正対象書類名】明細書
【補正対象項目名】０００９
【補正方法】変更
【補正の内容】
【０００９】
【課題を解決するための手段】
この発明にかかるに食器洗い機においては、食器洗い機本体内部に設けられた洗浄槽と、前記洗浄槽の底部に有する貯水タンクと、前記食器洗い機本体外部から前記洗浄槽内に洗浄水を供給する給水弁と、前記洗浄槽の水位を検知する水位検知装置と、前記洗浄槽内の洗浄水を食器類に向け噴射する洗浄ノズルと、前記洗浄ノズルに洗浄水を供給する洗浄ポンプと、前記洗浄槽内の洗浄水を前記食器洗い機本体外に排水する排水ポンプと、前記食器類より洗い落とされた残さいを溜める残さいフィルターと、前記残さいフィルターを通過した洗浄水を前記洗浄ポンプに導く循環経路と、前記残さいフィルターを通過した洗浄水を排水ポンプに導く排水経路とを備え、前記残さいフィルターは、目の大きさの異なる複数のフィルターから構成され、前記循環経路に導かれる洗浄水が通過する前記フィルターと前記排水経路に導かれる洗浄水が通過する前記フィルターの目の大きさをそれぞれ異なるものとしたものである。


【手続補正４】
【補正対象書類名】明細書
【補正対象項目名】００１１
【補正方法】変更
【補正の内容】
【００１１】
また、前記貯水タンクは、第１の貯水タンクと第２の貯水タンクとで構成し、前記第１の貯水タンクに循環口を形成して洗浄ポンプと連結し、前記第２の貯水タンクに排水口を形成して排水ポンプと連結し、前記第２の貯水タンクおよび前記排水口を前記第１の貯水タンクに設けられた循環口より下部に位置するように形成したものである。


【手続補正５】
【補正対象書類名】明細書
【補正対象項目名】００１２
【補正方法】変更
【補正の内容】
【００１２】
また、前記貯水タンク内に仕切り板を設けて前記第１の貯水タンクと前記第２の貯水タンクを形成し、前記仕切り板に前記第１の貯水タンクと前記第２の貯水タンクを連通する排水穴を穿設したものである。


【手続補正６】
【補正対象書類名】明細書
【補正対象項目名】００１５
【補正方法】変更
【補正の内容】
【００１５】
また、前記貯水タンク内に仕切り板を設けて前記第１の貯水タンクと前記第２の貯水タンクを形成し、前記仕切り板に前記第１の貯水タンクと前記第２の貯水タンクを連通する排水穴を穿設し、前記残さいフィルターに凹部を設け、前記凹部に残さいを排出させる残さい排出口を形成して前記残さい排出口を前記排水経路と連通させ、前記残さいフィルターの残さい排出口の大きさを、前記仕切り板の排水穴の大きさより大きくしたものである。


【手続補正７】
【補正対象書類名】明細書
【補正対象項目名】００１９
【補正方法】変更
【補正の内容】
【００１９】
【発明の実施の形態】
実施の形態１．
図１はこの発明の実施の形態１である食器洗い機を示す断面図である。１は洗浄槽、２は食器洗い機本体外より供給される例えば水道水などの洗浄水３を洗浄槽１内に供給する給水弁で、洗浄槽１の底部の貯水タンク４に洗浄水３を溜める。その供給される水量は水位検知装置５により適したものとしている。６は洗浄水３が加圧される洗浄ポンプ、７は洗浄槽１の底部のほぼ中央に回転自在に支持される洗浄ノズルで、食器類８に向けて洗浄ポンプ６から送られる洗浄水３を噴出する。９は洗浄ノズル７に備えられた噴射口で、洗浄ポンプ６により加圧されて洗浄ノズル５から供給される洗浄水３を、噴射口９から洗浄槽１内に噴射する。１０は食器類８などを洗浄槽１内に収納する食器かご、１１は洗浄槽１の底部に配設して洗浄水３を加熱するヒータ、１２は洗浄槽１内の洗浄水３を機外に排出する排水ポンプ、１３は貯水タンク４の上部に着脱自在に設けた残さいフィルターで、食器類８に付着していた残さい１４を溜める。１５は貯水タンク４と洗浄ポンプ６とを連結する循環経路で、循環口１５ａにより洗浄ポンプ６と接続する。１６は貯水タンク４と排水ポンプ１２とを連結する排水経路で、排水口１６ａにより排水ポンプ１２と接続し、排水ポンプ１２から排水ホース１６ｂを介して機外へ連通する。１７は洗浄ポンプ６と排水ポンプ１０とで兼用しているモータ、１８は貯水タンク４を第１の貯水タンク１９と第２の貯水タンク２０とに仕切る仕切り板である。なお、水位検知装置５は、フロート室２１内にフロート２２と検知機器２３を内設して構成され、フロート室２１内にホース２４を介して洗浄水３が導かれ、フロート２２が上昇した位置を検知機器２３が検知して水位検知を行っている。


【手続補正８】
【補正対象書類名】明細書
【補正対象項目名】００２１
【補正方法】変更
【補正の内容】
【００２１】
次に、残さいフィルター１３について説明する。図３と図４は残さいフィルター１３の上面図と断面図で、図において、２５はパンチングメタルなどの細かい穴２５ａの開いた平面部、２６は残さい１４を溜める凹部、２７は凹部２６のほぼ中央部に形成した残さい１４を排出する残さい排出口で、残さい１４を溜める凹部２６の形状は、図４に示すように逆円錐状とし、残さい１４が残さい排出口２７から排出されやすい形状になっている。また、平面部２５の穴の大きさｄ１は残さい排出口２７の大きさｄ２より小さく、ｄ１は３ｍｍ以下、ｄ２は５ｍｍ以上が好ましい。つまり、平面部２５の穴の大きさｄ１が大きすぎると残さいが通過してしまい一度食器類８から落とした残さい１４が再び食器類８に向けて洗浄水３と一緒に噴射されてしまい再付着を起こしてしまい、また、残さい排出口２７の大きさｄ２が小さすぎると排出できる残さい１４の大きさが限定されてしまう。また、残さい排出口２７の大きさｄ２より大きい残さい１４は通過できないので、排水経路１６の途中に大きい残さい１４が詰まるなどという心配もない。なお、洗浄ノズル７の洗浄水３の噴射口９の大きさは平面部２５の細かい穴２５ａの大きさｄ１より大きく形成し、残さいフィルター１３を通過してしまった細かい残さい１４が洗浄ノズル７の噴射口９に目詰まりしないようにしている。また、凹部２６はプラスチックの一体成形で、平面部２５もプラスチックで形成してもよい。


【手続補正９】
【補正対象書類名】明細書
【補正対象項目名】００２４
【補正方法】変更
【補正の内容】
【００２４】
このように構成された食器洗浄機の動作について説明する。まず、利用者が食器類８を食器かご１０に並べて洗浄槽１内に収納し、洗剤を入れた後に運転を開始する。そして、給水弁２が作動して洗浄槽１内に水道水が供給される。水道水は洗浄槽１の底部の貯水タンク４に溜まるとともに、ホース２４を介してフロート室２１に導かれる。水位の上昇とともにフロート２２が水に浸かると浮き上がり、フロート２２の上方に設けた検知機器２３によりフロート２２の位置を検出し、これを食器洗い機本体の制御装置（図示せず）が検知して洗浄水位に達したと判断して給水弁２を停止する。そして、モータ１７を正転回転し、洗浄ポンプ６を動作させて洗浄工程に移り、洗浄槽１底部の第１の貯水タンク１９内の洗浄水３が循環経路１５の循環口１５ａより洗浄ポンプ６に吸い込まれ、洗浄ノズル７に送水されて噴射口９から洗浄槽１内に噴射される。このような動作を所定時間（または所定回数）繰り返して、洗浄工程が終了する。このとき、第１の貯水タンク１９内の洗浄水３は残さいフィルター１３の平面部２５の細かい穴２５ａを通過したものである。洗浄工程が終了すると、モータ１７を逆転させ、洗浄槽１底部の第２の貯水タンク２０の排水経路１６の排水口１６ａより洗浄水３を排水ポンプ２２によって排水ホース２４を介して排水する。この排水のとき、食器類８から洗い流された残さい１４は、残さいフィルター１３の平面部２５に溜まるものも多少あるが、残さいフィルター１３の凹部２６内から洗浄水３と一緒に排出口２７から第２の貯水タンク２０内へと流れ出て機外へ排出される。さらに、細かい残さい１４が平面部２５の穴２５ａを通過してしまい第１の貯水タンク１９内に残さい１４が流れ出てしまった場合、仕切り板１８の排出穴２８から第２の貯水タンク２０に洗浄水３と一緒に細かい残さい１４が流れ出で機外へ排出されるので、循環経路１５の循環口１５ａからはほとんど残さい１４が送水されることがなく、次に行われるすすぎ工程で洗浄ノズル８の噴射口９から噴射される洗浄水３は残さい１４の含まれない洗浄水によりすすぎ工程を行うことができる。


【手続補正１０】
【補正対象書類名】明細書
【補正対象項目名】００２５
【補正方法】変更
【補正の内容】
【００２５】
このようにして洗浄工程が終了すると、再び給水弁２が作動して給水が始まり、一定の洗浄水位に達したら給水弁２を停止し、すすぎ工程が開始される。このすすぎ工程は、ヒータ１１を動作せずに水道水温ですすぎを行う水すすぎ工程と、ヒータ１１を動作してすすぎ水を加熱しながら行なう加熱すすぎ工程があって、上記洗浄工程と同様の動作を所定時間（または所定回数）繰り返されてすすぎ工程が終了する。そして、すすぎ工程終了後、排水が行われる。この排水も上記洗浄工程終了後の排水と同様の排水が行われ、このときに、上記洗浄工程終了後の排水で排出しきれなかった残さい１４は排出することができ、洗浄槽１内および残さいフィルター１３上に残さい１４がほとんど残ることがなく機外に排出することがきる。


【手続補正１１】
【補正対象書類名】明細書
【補正対象項目名】００２６
【補正方法】変更
【補正の内容】
【００２６】
実施の形態２．
図９と図１０はこの発明の実施の形態２を示す食器洗い機の残さいフィルターの上面図と断面図、図１１と図１２は食器洗い機の仕切り板の斜視図と断面図であり、残さいフィルター１３の凹部２６の残さい排出口２７の穿設位置を第１の貯水タンク１９に設けられている循環口１５ａ寄りに穿設したものである。これは、洗浄ポンプ６正転時、洗浄水３は循環口１５ａから洗浄ポンプ６に送水されるという洗浄水３の流れの方向に合わせて、残さい排出口２７の位置を残さいフィルター１３の凹部２６の真ん中よりずらして、循環口１５ａ寄りに位置させたもので、図１２に示した仕切り板１８の凸状の排出口２９も残さい排出口２７の位置に合わせて循環口１５ａ寄りに形成している。また、排出穴２８は残さい排出口２７が配置されていない側の方に偏って穿設することになる。図１３は上記したように構成された残さいフィルター１３及び仕切り板１８を貯水タンク４内に取り付けた状態の断面図で、循環口１５ａに向って流れる洗浄水３の流れに沿って残さい１４が循環口１５ａ寄りに位置する残さい排出口２７近傍に集まることになるので、残さい１４を残さい排出口２７より排出し易くなる。つまり、残さい１４が機外に排出され易くなるものである。


【手続補正１２】
【補正対象書類名】明細書
【補正対象項目名】００２８
【補正方法】変更
【補正の内容】
【００２８】
このように構成した残さいフィルター１３を、仕切り板３２を取り付けた貯水タンク４に配設して洗浄工程を行うと、洗浄水３内の残さい１４は凸部３０の外周にある凹部３１に溜まる。そしてすすぎ工程では、凹部３１に残さい排出口２７を複数個設けられているので、凹部３１に溜まった残さい１４を残さい排出口２７から排出することになり、洗浄工程後の排水で残さい１４を残らず排出することが可能となる。


【手続補正１３】
【補正対象書類名】明細書
【補正対象項目名】００３２
【補正方法】変更
【補正の内容】
【００３２】
食器洗い機本体内部に設けられた洗浄槽と、前記洗浄槽の底部に有する貯水タンクと、前記食器洗い機本体外部から前記洗浄槽内に洗浄水を供給する給水弁と、前記洗浄槽の水位を検知する水位検知装置と、前記洗浄槽内の洗浄水を食器類に向け噴射する洗浄ノズルと、前記洗浄ノズルに洗浄水を供給する洗浄ポンプと、前記洗浄槽内の洗浄水を前記食器洗い機本体外に排水する排水ポンプと、前記食器類より洗い落とされた残さいを溜める残さいフィルターと、前記残さいフィルターを通過した洗浄水を前記洗浄ポンプに導く循環経路と、前記残さいフィルターを通過した洗浄水を排水ポンプに導く排水経路とを備え、前記残さいフィルターは、目の大きさの異なる複数のフィルターから構成され、前記循環経路に導かれる洗浄水が通過する前記フィルターと前記排水経路に導かれる洗浄水が通過する前記フィルターの目の大きさをそれぞれ異なるものとしたので、循環経路に残さいが流れず、排水経路に残さいが流れやすい構造とすることが容易にとなり、残さいを機外へ排出し易い食器洗い機を得ることができる。


【手続補正１４】
【補正対象書類名】明細書
【補正対象項目名】００３４
【補正方法】変更
【補正の内容】
【００３４】
また、前記貯水タンクは、第１の貯水タンクと第２の貯水タンクとで構成し、前記第１の貯水タンクに循環口を形成して洗浄ポンプと連結し、前記第２の貯水タンクに排水口を形成して排水ポンプと連結し、前記第２の貯水タンクおよび前記排水口を前記第１の貯水タンクに設けられた循環口より下部に位置するように形成したので、第２の貯水タンクの排水口から排水が行われるとき、排水ポンプへの泡巻き込みを防止することができ、洗浄槽内に洗浄水が残り難いものとなる。


【手続補正１５】
【補正対象書類名】明細書
【補正対象項目名】００３５
【補正方法】変更
【補正の内容】
【００３５】
また、前記貯水タンク内に仕切り板を設けて前記第１の貯水タンクと前記第２の貯水タンクを形成し、前記仕切り板に前記第１の貯水タンクと前記第２の貯水タンクを連通する排水穴を穿設したので、排水のときに第１のタンク内に洗浄水が残り難くなる。


【手続補正１６】
【補正対象書類名】明細書
【補正対象項目名】００３８
【補正方法】変更
【補正の内容】
【００３８】
また、前記貯水タンク内に仕切り板を設けて前記第１の貯水タンクと前記第２の貯水タンクを形成し、前記仕切り板に前記第１の貯水タンクと前記第２の貯水タンクを連通する排水穴を穿設し、前記残さいフィルターに凹部を設け、前記凹部に残さいを排出させる残さい排出口を形成して前記残さい排出口を前記排水経路と連通させ、前記残さいフィルターの残さい排出口の大きさを、前記仕切り板の排水穴の大きさより大きくしたので、排水の時に排水穴から洗浄水が過剰に流れることがなく、残さいフィルターの残さい排出口からの洗浄水の排水が流れやすくなる。


【手続補正１７】
【補正対象書類名】図面
【補正対象項目名】図１
【補正方法】変更
【補正の内容】
【図１】
2002325716.tif 000001
【手続補正１８】
【補正対象書類名】図面
【補正対象項目名】図７
【補正方法】変更
【補正の内容】
【図７】
2002325716.tif 000002
【手続補正１９】
【補正対象書類名】図面
【補正対象項目名】図８
【補正方法】変更
【補正の内容】
【図８】
2002325716.tif 000003
【手続補正２０】
【補正対象書類名】図面
【補正対象項目名】図１６
【補正方法】変更
【補正の内容】
【図１６】
2002325716.tif 000004
【手続補正２１】
【補正対象書類名】図面
【補正対象項目名】図１７
【補正方法】変更
【補正の内容】
【図１７】
2002325716.tif 000005
【手続補正２２】
【補正対象書類名】図面
【補正対象項目名】図２１
【補正方法】変更
【補正の内容】
【図２１】
2002325716.tif 000006